(57)【要約】【課題】配線ダクトからの脱落を確実に防止できる取付具を提供する。【解決手段】取付具20は、取付具本体21およびロック体22を備える。取付具本体21は、配線ダクトの下面に長手方向に沿って形成された開口部に挿入され、取付方向ａへの回転により配線ダクトに取り付けられる取付位置に位置され、取付位置から取外し方向ｂへの回転により配線ダクトから取外し可能とする。ロック体22は、取付具本体21に対して上下方向に移動可能に設けられ、下方への移動状態で取付具本体21が取付位置から取外し方向ｂに回転するのを規制し、上方への移動状態で取付具本体21が取付位置から取外し方向ｂに回転するのを可能とする。【選択図】図１
2020153448.tif 000002
【特許請求の範囲】
【請求項１】
配線ダクトの下面に長手方向に沿って形成された開口部に挿入され、取付方向への回転により前記配線ダクトに取り付けられる取付位置に位置され、この取付位置から取外し方向への回転により前記配線ダクトから取外し可能とする取付具本体と；
前記取付具本体に対して上下方向に移動可能に設けられ、下方への移動状態で前記取付具本体が取付位置から取外し方向に回転するのを規制し、上方への移動状態で前記取付具本体が取付位置から取外し方向に回転するのを可能とするロック体と；
を具備することを特徴とする取付具。
【請求項２】
前記ロック体に取り付けられた吊部材を具備する
ことを特徴とする請求項１記載の取付具。
【請求項３】
前記ロック体を前記取付具本体に対して下方に付勢する付勢部材を具備する
ことを特徴とする請求項１または２記載の取付具。
【発明の詳細な説明】
【技術分野】
【０００１】
本発明の実施形態は、配線ダクトに着脱可能に取り付けられる取付具に関する。
【背景技術】
【０００２】
従来、天井などに設置された配線ダクトの任意の位置に取付具を取り付け、この取付具によって物品を吊下げることが知られている。
【０００３】
取付具は、配線ダクトの下面に長手方向に沿って形成された開口部に挿入され、取付方向への回転により配線ダクトに取り付けられる取付位置に位置され、取付位置から取外し方向への回転により配線ダクトから取外し可能とする。
【０００４】
このような取付具では、意図せず、配線ダクトの取付位置から取外し方向に回転し、脱落してしまうのを確実に防止できるようにすることが望まれる。
【先行技術文献】
【特許文献】
【０００５】
【特許文献１】特開２０１９−２９１７６号公報
【発明の概要】
【発明が解決しようとする課題】
【０００６】
本発明は、配線ダクトからの脱落を確実に防止できる取付具を提供することである。
【課題を解決するための手段】
【０００７】
実施形態の取付具は、取付具本体およびロック体を備える。取付具本体は、配線ダクトの下面に長手方向に沿って形成された開口部に挿入され、取付方向への回転により配線ダクトに取り付けられる取付位置に位置され、取付位置から取外し方向への回転により配線ダクトから取外し可能とする。ロック体は、取付具本体に対して上下方向に移動可能に設けられ、下方への移動状態で取付具本体が取付位置から取外し方向に回転するのを規制し、上方への移動状態で取付具本体が取付位置から取外し方向に回転するのを可能とする。
【発明の効果】
【０００８】
実施形態の取付具によれば、配線ダクトからの脱落を確実に防止することが期待できる。
【図面の簡単な説明】
【０００９】
【図１】第１の実施形態を示す取付具の斜視図である。
【図２】同上取付具の断面図である。
【図３】同上取付具を配線ダクトに挿脱する状態の斜視図である。
【図４】同上配線ダクトに対して取付具が回転した状態の斜視図である。
【図５】同上配線ダクトの取付位置に対して取付具が回転可能な状態の斜視図である。
【図６】同上配線ダクトの取付位置に取付具をロックした状態の斜視図である。
【図７】第２の実施形態を示す取付具の斜視図である。
【図８】同上取付具の断面図である。
【図９】第３の実施形態を示す取付具の斜視図である。
【図１０】同上取付具の断面図である。
【発明を実施するための形態】
【００１０】
以下、第１の実施形態を、図１ないし図６を参照して説明する。
【００１１】
図３ないし図６において、10は配線ダクト（配線レール）で、この配線ダクト10は、レール状で長尺に設けられており、天井面などの設置面に設置され、長手方向の任意の位置に電気機器を機械的および電気的に接続して使用したり、物品を取り付けることが可能となっている。
【００１２】
配線ダクト10は、ダクト本体11、このダクト本体11内の長手方向に交差する幅方向（短手方向）の両側に配設される一対の絶縁体12、およびこれら絶縁体12に取り付けられた一対の導体13を備えている。
【００１３】
ダクト本体11は、金属製で、略四角形の中空状に設けられている。ダクト本体11の下面中央には、開口部14が長手方向に沿って設けられている。ダクト本体11の下面側には開口部14の両側に支持縁部15が設けられている。ダクト本体11の下面一側には、一対の導体13の極性を有する場合に一方の極性に対応して、極性用突起16が長手方向に沿って突設されている。
【００１４】
一対の絶縁体12は、絶縁性を有する例えば樹脂製で、導体13を支持し、ダクト本体11内で開口部14の両側に配置されている。
【００１５】
一対の導体13は、導電性を有する金属板によって構成され、一対の絶縁体12によりダクト本体11内の幅方向の両側でかつ開口部14の両側に互いに対向して配置されている。そして、一対の導体13には、交流電源や直流電源などの電気機器に供給する所定の外部電源が通電される。
【００１６】
次に、図１ないし図６において、20は取付具で、配線ダクト10に取り付けられ、物品を吊下げ支持する。取付具20は、例えば、配線ダクト10に取り付けられる照明器具の落下防止用ワイヤを取り付けるのに用いられる。あるいは、取付具20は、例えば、看板やポップなどを吊下げるのに用いられる。
【００１７】
取付具20は、配線ダクト10に着脱可能に取り付けられる取付具本体21、この取付具本体21を配線ダクト10にロックするロック体22、このロック体22をロック状態に保持する付勢部材23、および取付具本体21に対して物品を吊下げる吊部材24を備えている。取付具20は、上下方向に沿って仮想の中心軸ｚを有している。
【００１８】
取付具本体21は、分割形成された第１の本体部21aと第２の本体部21bを備えている。第１の本体部21aと第２の本体部21bの分割状態でロック体22、付勢部材23および吊部材24が組み込まれる。第１の本体部21aと第２の本体部21bが組み合わされて互いに固定されることにより、第１の本体部21aと第２の本体部21bとの間に、ロック体22、付勢部材23および吊部材24が挟み込まれて配置されるとともに、ロック体22が上下方向に移動可能に配置される。
【００１９】
取付具本体21は、円盤状の鍔部27、この鍔部27の上面中央域から上方に突出する挿入部28、および鍔部27の下面中央域から下方に突出する支え部29を備えている。挿入部28は配線ダクト10の開口部14に挿入され、鍔部27は配線ダクト10の下面側に配置される。
【００２０】
挿入部28の周面には、両側の第１の側面30、およびこの第１の側面30とは交差する両側の第２の側面31を有している。両側の第１の側面30間の間隔、および両側の第２の側面31間の間隔とも、配線ダクト10の開口部14の幅方向の開口幅（両側の支持縁部15の対向間隔）よりも小さく形成されている。
【００２１】
挿入部28の平面視で一方の対角部に中心軸ｚを中心する曲面部32がそれぞれ設けられている。曲面部32間の間隔は、配線ダクト10の開口部14の幅方向の開口幅（両側の支持縁部15の対向間隔）よりも小さく設けられている。一方、挿入部28の平面視で他方の対角部に角部33がそれぞれ設けられている。この他方の対角部間の間隔は、配線ダクト10の開口部14の幅方向の開口幅（両側の支持縁部15の対向間隔）よりも大きく設けられている。
【００２２】
挿入部28の両側の第２の側面31には、配線ダクト10の支持縁部15の上面に着脱可能に係止される一対の係止部34が突出形成されている。係止部34は、挿入部28の両側の第１の側面30間の幅と同一幅に形成されている。係止部34の下面と鍔部27の上面との間には、配線ダクト10の支持縁部15が入り込む溝部35が設けられている。
【００２３】
一対の係止部34の平面視で一方の対角部には、挿入部28の平面視で一方の対角部に設けられた曲面部32と同心円状に曲面部36がそれぞれ設けられている。一対の係止部34の曲面部36間の間隔は、支持縁部15上での配線ダクト10内の幅方向の寸法よりも小さく設けられている。一方、一対の係止部34の平面視で他方の対角部には角部37がそれぞれ設けられている。この他方の対角部間の間隔は、支持縁部15上での配線ダクト10の幅方向の寸法よりも大きく設けられている。
【００２４】
そして、取付具本体21は、挿入部28の両側の第１の側面30が配線ダクト10の両側の支持縁部15に対向し、一対の係止部34が配線ダクト10の開口部14の長手方向に沿った状態で、配線ダクト10の開口部14に上方に挿入、または下方に離脱可能とする位置を着脱位置とし、この着脱位置から略９０°回転し、一対の係止部34が配線ダクト10の両側の支持縁部15上に係止された位置を取付位置とする。また、取付具本体21は、着脱位置と取付位置の間では、挿入部28の曲面部32が配線ダクト10の両側の支持縁部15に対向する状態でのみ回転可能とし、着脱位置から取付位置に回転する方向を取付方向ａ、取付位置から着脱位置に回転する方向を取外し方向ｂとする。
【００２５】
さらに、取付具本体21の内側には、ロック体22が上下方向に移動可能に配置されるガイド空間部38が設けられている。
【００２６】
一方の係止部34の一側縁に、ロック体22が上下方向に移動可能とする切欠部39が設けられている。切欠部39は、挿入部28の一側の第１の側面30に亘って設けられている。
【００２７】
鍔部27の上側で挿入部28の一側に、ガイド空間部38および切欠部39に連通する挿入側窓部40が形成されている。鍔部27の下側で支え部29の一側に、ガイド空間部38および切欠部39に連通する操作用窓部41が形成されている。
【００２８】
また、ロック体22は、取付具本体21のガイド空間部38および操作側窓部41に上下方向に移動可能に配置される移動部である本体部43、この本体部43の下部側に設けられ取付具本体21の操作用窓部41に上下方向に移動可能に配置される解除操作部44、および本体部43から突設され取付具本体21の溝部35と切欠部39との間で上下方向に移動可能に配置される規制部45を備えている。
【００２９】
本体部43は、挿入部28の外形の範囲内に配置されている。本体部43には、上方から付勢部材23を受ける受部46が設けられている。
【００３０】
規制部45は、挿入部28の外面よりも一方の係止部34が突出する方向へ向けて突出され、係止部34の切欠部39に配置可能とする。規制部45は、係止部34の切欠部39に配置された際に、係止部34の外形の範囲内に収まる形状および寸法に設けられている。
【００３１】
そして、ロック体22は、取付具本体21に対して下降し、規制部45が溝部35内に突出した位置を取付具20の回転を規制する規制位置とし、また、取付具本体21に対して上昇し、規制部45が係止部34の切欠部39に進入した位置を取付具20の回転を可能とする規制解除位置とする。
【００３２】
また、付勢部材23は、例えばコイルばねが用いられている。なお、付勢部材23には、板ばねやゴムなどの各種の弾性体を用いてもよい。
【００３３】
付勢部材23は、取付具本体21のガイド空間部38内の上面とロック体22の受部46との間に圧縮状態で配置され、取付具本体21に対してロック体22が規制位置に向けて下降する方向に付勢する。
【００３４】
また、吊部材24は、例えばフックで構成されている。吊部材24は、取付具本体21に固定される固定部50、およびこの固定部50の下端に設けられたフック部51を有している。固定部50の先端には径方向に突出する突出部52が設けられ、取付具本体21に強固に固定されている。
【００３５】
そして、取付具20を配線ダクト10に取り付けるには、図３に示すように、取付具20の一対の係止部34が配線ダクト10の開口部14の長手方向に沿った状態で、挿入部28を配線ダクト10の開口部14に挿入し、鍔部27の上面を配線ダクト10の下面に押し当てる。この状態で、一対の係止部34が配線ダクト10の支持縁部15上に係止可能な高さに配置される。
【００３６】
続いて、図４に示すように、ロック体22の解除操作部44を押し上げ操作し、ロック体22の規制部45を溝部35の高さの規制位置から係止部34の切欠部39に配置される規制解除位置に上昇移動させる。このロック体22の状態を保持したまま、取付具20を着脱位置から取付方向ａに回転させる。これにより、取付具20が取付方向ａに回転し、一対の係止部34が配線ダクト10の支持縁部15上に移動し、鍔部27と係止部34との間の溝部35に支持縁部15が相対的に入り込む。
【００３７】
図５に示すように、取付具20が着脱位置から取付位置に略９０°回転すると、挿入部28の角部33が支持縁部15に当接し、取付方向ａへの回転が規制される。取付具20の取付位置では、一対の係止部34が配線ダクト10の両側の支持縁部15上に係止される。
【００３８】
図６に示すように、ロック体22の解除操作部44の押し上げを解除することにより、ロック体22が自重および付勢部材23による付勢により下降し、規制部45が規制位置に配置される。規制位置の規制部45は溝部35内に突出し、規制部45の先端面が配線ダクト10の支持縁部15に対向する。
【００３９】
そして、配線ダクト10に取り付けられた取付具20は、吊部材24に物品を吊下げて使用する。例えば、配線ダクト10に取り付けられる照明器具の落下防止ワイヤを連結する。
【００４０】
ロック体22の規制部45が規制位置にある状態では、取付具20が取外し方向ｂに回転しようとしても、規制部45が支持縁部15に当接し、取付具20の取外し方向ｂへの回転を規制する。
【００４１】
また、取付具20を配線ダクト10から取り外すには、図６から図５に示すように、ロック体22の解除操作部44を押し上げ操作し、ロック体22の規制部45を溝部35の高さでかつ配線ダクト10の支持縁部15に対向する規制位置から係止部34の切欠部39に配置される規制解除位置に上昇移動させる。このロック体22の状態を保持したまま、取付具20を取付位置から取外し方向ｂに回転させる。これにより、図５から図４に示すように、取付具20が取外し方向ｂに回転し、一対の係止部34が配線ダクト10の開口部14上に移動する。取付具20の回転途中でロック体22の解除操作部44を押し上げ操作を解除しても、規制部45は配線ダクト10の支持縁部15上に載るだけで、取付具20の取外し方向ｂへの回転を規制することはない。
【００４２】
図４から図３に示すように、取付具20が取付位置から着脱位置に略９０°回転すると、一対の係止部34が配線ダクト10の支持縁部15から外れて開口部14上に配置される。取付具20を下方に移動させ、挿入部28を配線ダクト10から抜き外す。
【００４３】
このように構成された本実施形態の取付具20では、ロック体22が下方に移動した状態で取付具20が取付位置から取外し方向ｂに回転するのを規制し、上方への移動により取付具20が取付位置から取外し方向ｂに回転するのを可能とする構造であるため、仮に付勢部材23による付勢力が低下したり無くなったとしても、ロック体22の自重により、取付具20が取付位置から取外し方向ｂに回転するのを規制する規制位置にとどまってロック機能を維持し、配線ダクト10からの脱落を確実に防止できる。
【００４４】
そのため、取付具20は、付勢部材23を備えていなくてもよい。ただし、付勢部材23を備えることにより、振動などによってロック体22の位置がずれるのを防止することができる。
【００４５】
次に、図７および図８に取付具20の第２の実施形態を示す。取付具20の基本構成は第１の実施形態と同様である。
【００４６】
取付具本体21の第２の本体部21bは、鍔部27および支え部29の中心軸ｚに直交する方向の略半分を構成し、第１の本体部21aと組み合わされる。挿入部28には上下方向に貫通するガイド孔60が設けられている。支え部29の下部中央には上下方向に貫通される挿通孔61が設けられ、支え部29の操作用窓部41の下縁部には上方に向けてガイド突部62が設けられている。
【００４７】
ロック体22の上部側には、挿入部28のガイド孔60に上下方向に移動可能に挿通される上部側ガイド部63が突設されている。ロック体22の下部側には、支え部29のガイド突部62に上下方向に移動可能に係合する溝状の下部側ガイド部64が設けられている。これら上部側ガイド部63および下部側ガイド部64により、取付具本体21に対して上下方向に移動可能とするロック体22の剛性が向上される。
【００４８】
吊部材24は、固定部50がロック体22に固定されている。吊部材24は、例えばインサート成形によってロック体22に一体的に形成されている。吊部材24は、ロック体22の下面から突出され、取付部本体21の挿通孔61を上下方向に移動可能に挿通され、フック部51が取付具本体21の下方に配置されている。
【００４９】
そして、この取付具20は、吊部材24のフック部51に引っ掛けられる物品の荷重が吊部材24およびロック体22に一体に加わり、ロック体22が下方の規制位置に移動した状態が保持される。そのため、取付具20は、取付位置から取外し方向ｂに回転するのを規制する規制位置にとどまってロック機能を維持し、配線ダクト10からの脱落を確実に防止できる。
【００５０】
次に、図９および図１０に取付具20の第３の実施形態を示す。取付具20の基本構成は第２の実施形態と同様である。
【００５１】
取付具20のロック体22は、解除操作部44を備えていない。ロック解除する場合には、吊部材24を取付具本体21に対して上方へ押し上げることにより、吊部材24と一体にロック体22を押し上げて規制解除位置に移動させる。
【００５２】
そして、この第３の実施形態においても、吊部材24のフック部51に引っ掛けられる物品の荷重が吊部材24およびロック体22に一体に加わり、ロック体22が下方の規制位置に移動した状態が保持される。そのため、取付具20は、取付位置から取外し方向ｂに回転するのを規制する規制位置にとどまってロック機能を維持し、配線ダクト10からの脱落を確実に防止できる。
【００５３】
なお、取付具の構成は、配線ダクトに取り付ける照明器具を含む電気機器やその他の物品にも適用できる。
【００５４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５５】
10    配線ダクト
14    開口部
20    取付具
21    取付具本体
22    ロック体
23    付勢部材
24    吊部材
ａ    取付方向
ｂ    取外し方向
【図１】
2020153448.tif 000003
【図２】
2020153448.tif 000004
【図３】
2020153448.tif 000005
【図４】
2020153448.tif 000006
【図５】
2020153448.tif 000007
【図６】
2020153448.tif 000008
【図７】
2020153448.tif 000009
【図８】
2020153448.tif 000010
【図９】
2020153448.tif 000011
【図１０】
2020153448.tif 000012